(57)【要約】【課題】電子装置間の信号伝送に使用されるケーブルに関し、ユーザの利便性を高める。【解決手段】実施形態に係る電子装置は、ケーブルの情報を記憶する記憶手段と、記憶手段に対して電源を供給するために用いられる電源供給線と、ホットプラグディテクトを含む信号線と、を備えるケーブルを介して外部装置と接続可能である。電子装置は、ケーブルを介して外部装置と接続された場合に、記憶手段に対して電源供給線を通じて電源供給し、ケーブルの情報を読出す読出手段と、ケーブルの情報によって、ケーブルが第１標準規格上で第２標準規格に準拠した通信を行うモードのサポートが示されない場合、ホットプラグディテクトをアクティブにせず、ケーブルの情報によって、ケーブルが第１標準規格上で第２標準規格に準拠した通信を行うモードのサポートが示される場合、ホットプラグディテクトをアクティブにする制御手段とを含む。【選択図】      図１
2019046066.tif 000002
【特許請求の範囲】
【請求項１】
ケーブルの情報を記憶する記憶手段と、前記記憶手段に対して電源を供給するために用いられる電源供給線と、少なくともホットプラグディテクトを含む信号線と、を備えるケーブルを介して外部装置と接続可能な電子装置であって、
前記ケーブルを介して前記外部装置と接続された場合に、前記記憶手段に対して前記電源供給線を通じて電源供給し、前記ケーブルの情報を読出す読出手段と、
前記ケーブルの情報によって、前記ケーブルが第１標準規格上で第２標準規格に準拠した通信を行うモードのサポートが示されない場合、前記ホットプラグディテクトをアクティブにせず、前記ケーブルの情報によって、前記ケーブルが前記第１標準規格上で前記第２標準規格に準拠した通信を行うモードのサポートが示される場合、前記ホットプラグディテクトをアクティブにする制御手段と
を具備する電子装置。
【請求項２】
前記制御手段は、
前記読出手段による前記ケーブルの情報の読出が失敗した場合、前記ケーブルは前記第１標準規格上で前記第２標準規格に準拠した通信を行うモードをサポートしていないものとみなし、前記ホットプラグディテクトをアクティブにしない、請求項１に記載の電子装置。
【請求項３】
前記制御手段は、
前記ケーブルの情報を読み出した後、前記ケーブルの情報を前記外部装置に送信する、請求項１または請求項２に記載の電子装置。
【請求項４】
前記外部装置から出力される映像信号を表示可能な表示手段をさらに具備し、
前記制御手段は、
前記ケーブルの情報によって、前記ケーブルが前記第１標準規格上で前記第２標準規格に準拠した通信を行うモードのサポートが示されない場合、前記ケーブルが前記モードをサポートしていないことに関するメッセージを前記表示手段上に表示する、請求項１乃至請求項３のいずれか１項に記載の電子装置。
【請求項５】
前記ケーブルは、electronically marked cable assembly（ＥＭＣＡ）ケーブルであり、
前記制御手段は、
前記外部装置が前記ＥＭＣＡケーブルに対応しない場合、前記ケーブルの情報によって、前記ケーブルが前記第１標準規格上で前記第２標準規格に準拠した通信を行うモードをサポートしていることが示される場合であっても、前記ホットプラグディテクトをアクティブにしない、請求項１乃至請求項４のいずれか１項に記載の電子装置。
【請求項６】
前記制御手段は、
前記ケーブルの情報によって、前記ケーブルが前記第１標準規格上で前記第２標準規格に準拠した通信を行うモードのサポートが示されない場合、対応可能な映像信号のフォーマットを第１のフォーマットから必須フォーマットに変更する、請求項１乃至請求項５のいずれか１項に記載の電子装置。
【請求項７】
前記制御手段は、
前記ケーブルの情報によって、前記ケーブルが前記第１標準規格上で前記第２標準規格に準拠した通信を行うモードのサポートが示される場合であっても、前記ケーブルの伝送帯域が前記電子装置の伝送帯域よりも低い場合、前記ケーブルの伝送帯域にあわせて前記電子装置の伝送帯域の一部を無効にする、請求項１乃至請求項６のいずれか１項に記載の電子装置。
【請求項８】
前記制御手段は、
前記ケーブルの情報によって、前記ケーブルが前記第１標準規格上で、前記電子装置及び前記外部装置がサポート可能な第３標準規格に準拠した通信を行うモードのサポートが示されない場合、前記第３標準規格に準拠した通信を行うモードを無効にする、請求項１乃至請求項７のいずれか１項に記載の電子装置。
【請求項９】
第１電子装置と第２電子装置とを接続するケーブルであって、
前記ケーブルの情報を記憶する記憶手段と、
前記第１電子装置または前記第２電子装置の少なくとも一方から、前記記憶手段に対して電源を供給するために用いられる電源供給線と、
前記第１電子装置と前記第２電子装置との間の通信に使用可能であって、少なくともホットプラグディテクトを含む信号線と
を具備し、
前記第１電子装置が第１コネクタと接続され、前記第２電子装置が第２コネクタと接続された場合に、前記記憶手段に対して前記電源供給線より電源供給され、前記ケーブルの情報が、前記第２電子装置により読出され、
前記ケーブルの情報によって、前記ケーブルが第１標準規格上で第２標準規格に準拠した通信を行うモードのサポートが示されていない場合、前記第２電子装置により、前記ホットプラグディテクトがアクティブにされず、
前記ケーブルの情報によって、前記ケーブルが前記第１標準規格上で前記第２標準規格に準拠した通信を行うモードのサポートが示されている場合、前記第２電子装置により、前記ホットプラグディテクトがアクティブにされる、ケーブル。
【請求項１０】
前記第１コネクタは、前記第１標準規格に準拠した第１形状のコネクタであり、
前記第２コネクタは、前記第２標準規格に準拠した第２形状のコネクタである、請求項９に記載のケーブル。
【請求項１１】
前記第１コネクタは、USB形状のコネクタであり、
前記第２コネクタは、HDMI形状のコネクタであり、請求項９または請求項１０に記載のケーブル。
【請求項１２】
前記第１標準規格は、USB Type-Cであり、
前記第２標準規格は、HDMIであり、
前記モードは、HDMI Alternate modeであり、
前記ケーブルの情報は、E-markerによって示される、請求項９乃至請求項１１のいずれか１項に記載のケーブル。
【請求項１３】
ケーブルの情報を記憶する記憶手段と、前記記憶手段に対して電源を供給するために用いられる電源供給線と、少なくともホットプラグディテクトを含む信号線と、を備えるケーブルを介して外部装置と接続可能な電子装置であって、
前記ケーブルを介して前記外部装置と接続された場合に、前記記憶手段に対して前記電源供給線を通じて電源供給し、前記ケーブルの情報を読出す読出手段と、
前記ケーブルの情報によって、前記ケーブルが第１標準規格上で第２標準規格に準拠した通信を行うモードのサポートが示されない場合、前記ホットプラグディテクトをアクティブにする旨の要求を前記外部装置に出力せず、前記ケーブルの情報によって、前記ケーブルが前記第１標準規格上で前記第２標準規格に準拠した通信を行うモードのサポートが示される場合、前記ホットプラグディテクトをアクティブにする旨の要求を前記外部装置に出力する制御手段と
を具備する電子装置。
【発明の詳細な説明】
【技術分野】
【０００１】
本実施形態は、電子装置及びケーブルに関する。
【背景技術】
【０００２】
現在、電子装置間の信号伝送には金属線からなる伝送路を含むケーブルが用いられることが多い。例えば、デジタル映像信号を非圧縮で伝送するインタフェースの一例としてはHDMI（登録商標）（High-Definition Multimedia Interface）等が知られている。
【０００３】
一方で、昨今、電子装置間の信号伝送に使用するケーブルは多様化の一途を辿っており、ケーブルが、ユーザの所望する規格に準拠したケーブルであるか否かを正確に判別することが困難なケースが生じている。
【０００４】
これはユーザの利便性を損なうものであり、その改善が求められている。
【先行技術文献】
【特許文献】
【０００５】
【特許文献１】特表２０１０−５０３１３４号公報
【特許文献２】特開２０１２−２３０６２７号公報
【特許文献３】特開２００９−０７７３４７号公報
【発明の概要】
【発明が解決しようとする課題】
【０００６】
本発明の実施形態が解決しようとする課題は、電子装置間の信号伝送に使用されるケーブルに関し、ユーザの利便性を高めることができる電子装置及びケーブルを提供することである。
【課題を解決するための手段】
【０００７】
実施形態に係る電子装置は、ケーブルの情報を記憶する記憶手段と、前記記憶手段に対して電源を供給するために用いられる電源供給線と、少なくともホットプラグディテクトを含む信号線と、を備えるケーブルを介して外部装置と接続可能である。前記電子装置は、前記ケーブルを介して前記外部装置と接続された場合に、前記記憶手段に対して前記電源供給線を通じて電源供給し、前記ケーブルの情報を読出す読出手段と、前記ケーブルの情報によって、前記ケーブルが第１標準規格上で第２標準規格に準拠した通信を行うモードのサポートが示されない場合、前記ホットプラグディテクトをアクティブにせず、前記ケーブルの情報によって、前記ケーブルが前記第１標準規格上で前記第２標準規格に準拠した通信を行うモードのサポートが示される場合、前記ホットプラグディテクトをアクティブにする制御手段とを具備する。
【図面の簡単な説明】
【０００８】
【図１】図１は、実施形態に係るシステム全体の一例を示す図である。
【図２】図２は、同実施形態に係るEMCA対応／非対応情報のデータ構造の一例を示す図である。
【図３】図３は、同実施形態に係るケーブルの構成例を示す図である。
【図４】図４は、同実施形態に係るケーブルを利用してHDMI規格の信号を伝送する場合の動作の一例を示すシーケンス図である。
【図５】図５は、同実施形態に係るケーブルを利用してHDMI規格の信号を伝送する場合の別の動作の一例を示すシーケンス図である。
【図６】図６は、同実施形態に係るケーブルを利用してHDMI規格の信号を伝送する場合のさらに別の動作の一例を示すシーケンス図である。
【図７】図７は、同実施形態に係るケーブルを利用してHDMI規格の信号を伝送する場合のさらに別の動作の一例を示すシーケンス図である。
【図８】図８は、同実施形態の変形例に係るシステム全体の一例を示す図である。
【発明を実施するための形態】
【０００９】
以下、実施の形態について図面を参照して説明する。開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【００１０】
図１は実施形態に係るシステム全体の一例を示す。システムは、映像信号を送り出す送信機１０と、映像信号を受け取る受信機３０と、送信機１０と受信機３０との間に接続されるデジタル映像信号伝送用のケーブル５０からなる。デジタル映像信号を伝送するインタフェースは種々あり、例えばDisplayPort（登録商標）、HDMI、USB Type-C Alternate mode（登録商標）、MHL（Mobile High-Definition Link）（登録商標）、HD BaseT（登録商標）、VbyOne（登録商標）、Thunderbolt（登録商標）等がある。USB Type-C Alternate modeはUSB Type-C（登録商標）のコネクタ／ケーブルを利用して別規格の信号を伝送するモードであり、別規格に応じてDisplayPort Alternate mode（登録商標）、MHL Alternate mode（登録商標）、HDMI Alternate mode（登録商標）、Thunderbolt Alternate mode（登録商標）等を含む。
【００１１】
本実施形態では、一例として、USB Type-Cのコネクタ／ケーブルを利用して、HDMI規格の信号を伝送する場合について説明する。また、本実施形態では、USB Type-CのケーブルがEMCA（Electronically Marked Cable Assembly：電子的捺印付ケーブルアセンブリ）ケーブルである場合について説明する。なお、HDMIでは送信機をソース機器と称し、受信機をシンク機器と称する。
【００１２】
ソース機器１０は光学式ディスクプレーヤ、セットトップボックス、ビデオカメラ、パーソナルコンピュータ、スマートフォン等を含む。シンク機器３０はテレビジョン受像機、モニタ、プロジェクタ、パーソナルコンピュータ、スマートフォン等を含む。EMCAケーブル５０の両端にはコネクタ（USB Type-Cプラグ）５２，５４が接続される。これらUSB Type-Cプラグ５２，５４は機器側のコネクタ（USB Type-Cレセプタクル）２０，４８に着脱自在に接続される。EMCAケーブル５０は双方向性を有しており、どちらのUSB Type-Cプラグをソース機器１０、シンク機器３０のいずれに接続しても動作可能である。
【００１３】
［ソース機器］  
ソース機器１０は、HDMI送信処理部１２と、信号処理部１４と、ＣＰＵ１６と、電源処理部１８と、USB Type-Cレセプタクル２０とを含む。なお、ＣＰＵ１６は、PD（Power Delivery）処理部１６ａをさらに含む。  
信号処理部１４はHDMI送信処理部１２に映像信号と、オーディオ信号と、制御信号（状態信号も含む）とを供給する。信号処理部１４はＣＰＵ１６の制御の下、映像信号のフォーマットをシンク機器３０の解像度に応じたフォーマットに変換して、HDMI送信処理部１２に供給する。
【００１４】
HDMI送信処理部１２は、データラインを用いて、映像信号とオーディオ信号をTMDS D0、TMDS D1、TMDS D2、TMDS CLKの４レーンからなるTMDS（Transition Minimized Differential Signaling）方式で伝送する。ＣＰＵ１６はHDMI送信処理部１２と、信号処理部１４と、電源処理部１８との動作を制御する。
【００１５】
ＣＰＵ１６に含まれるPD処理部１６ａは、CC（Configuration Channel）ラインを用いて、EMCAケーブル５０を介して接続された機器とロールスワップを行い、シンクとソースの関係やUSBホストとデバイスの関係、等を設定する。また、PD処理部１６ａは、CCラインを用いて、EMCAケーブル５０を介して接続された機器（ここではシンク機器３０）と電力に関するネゴシエーション（電力ネゴシエーション）を行い、給電する電力の大きさを設定する。
【００１６】
さらに、PD処理部１６ａは、HDMI Alternate mode時に、EMCAケーブル５０を介して接続されたシンク機器３０と、CCラインを用いて、USB PDプロトコルを用いたHDMI通信に関するネゴシエーションを行い、映像信号やオーディオ信号を伝送する際に使用するピンの設定や5Vアサート（具体的には、+5V信号に相当するメッセージの出力）、EDID読出、等を行う。また、PD処理部１６ａには、HDMI Alternate mode時に、SBU1ラインを通じてHPD（Hot Plug Detect：ホットプラグディテクト）が供給される。
【００１７】
電源処理部１８は、ソース機器１０内に設けられる各部に駆動電力を供給する。また、電源処理部１８は、Vbusラインを用いてバス電力を供給する。詳しくは、電源処理部１８は、PD処理部１６ａによる電力ネゴシエーションによって設定された大きさの電力を、Vbusラインを用いてシンク機器３０に給電する。さらに、電源処理部１８は、PD処理部１６ａからの指示に従い、Vconnラインを用いて、EMCAケーブル５０及びEMCAケーブル特有の回路、具体的には、第１のE-marker６２に電力を供給する。PD処理部１６ａは、第１のE-marker６２にVconnからの電力が供給されると、第１のE-marker６２に記憶されるケーブル情報を読出す。
【００１８】
［シンク機器］  
シンク機器３０は、HDMI受信処理部３２と、信号処理部３４と、ＣＰＵ３６と、電源処理部３８と、EDID（Extended Display Identification Data：拡張表示識別データ）メモリ４０と、EMCA対応／非対応情報記憶部４２と、ＬＣＤディスプレイ４４と、スピーカ４６と、USB Type-Cレセプタクル４８とを含む。ＣＰＵ３６はPD処理部３６ａをさらに含む。  
ＬＣＤディスプレイ４４とスピーカ４６は映像や音声を出力する以外に、実施形態によるケーブル（EMCAケーブル５０）が接続されたことや、実施形態とは異なるケーブルが接続されたこと（後述する警告情報）をユーザに通知するためにも使用される。通知は、テキスト表示、アイコン表示、メッセージ音声合成、通知音発生等を含む。ソース機器１０が表示部やスピーカ等の通知手段を備えている場合、実施形態によるケーブルまたは実施形態とは異なるケーブルが接続されたことをソース機器１０側で通知しても良い。
【００１９】
信号処理部３４にはHDMI受信処理部３２からの映像信号やオーディオ信号が供給される。信号処理部３４から出力される映像信号がＬＣＤディスプレイ４４で表示され、オーディオ信号がスピーカ４６から出力される。ＣＰＵ３６はHDMI受信処理部３２と、信号処理部３４と、電源処理部３８との動作を制御する。
【００２０】
ＣＰＵ３６に含まれるPD処理部３６ａは、ソース機器１０に含まれるPD処理部１６ａと同様に、CCラインを用いて、EMCAケーブル５０を介して接続された機器とロールスワップを行い、シンクとソースの関係やUSBホストとデバイスの関係、等を設定する。また、PD処理部３６ａは、CCラインを用いて、EMCAケーブル５０を介して接続された機器（ここではソース機器１０）と電力ネゴシエーションを行い、受電する電力の大きさを設定する。
【００２１】
さらに、PD処理部３６ａは、HDMI Alternate mode時に、EMCAケーブル５０を介して接続されたソース機器１０と、CCラインを用いて、USB PDプロトコルを用いたHDMI通信に関するネゴシエーションを行い、映像信号やオーディオ信号を受け取る際に使用するピンの設定やソース機器１０のバージョンを示すバージョン情報の取得、等を行う。また、PD処理部３６ａは、HDMI Alternate mode時に、SBU1ラインを用いてHPDアサートを行う。詳しくは、HPDをソース機器１０に供給する。
【００２２】
EDIDメモリ４０はシンク機器３０の機能や性能に関する情報を保持するデータセットであるEDIDを記憶する。EDIDはシンク機器３０の電源供給能力も示す。EDIDメモリ４０はＲＡＭではなく、ＲＯＭまたはフラッシュメモリであっても良い。ソース機器１０は、HDMI Alternate mode時に、CCラインを用いて（ＣＰＵ３６を介して）EDIDメモリ４０にアクセスすることができ、シンク機器３０が推奨もしくは対応する設定やシンク機器３０の電源供給能力をEDIDに基づいて知ることができる。
【００２３】
EMCA対応／非対応情報記憶部４２は、図２に示すように、ソース機器１０のバージョンと、当該バージョンのソース機器１０がEMCAケーブル５０に対応しているか否かとが関連づけられたEMCA対応／非対応情報を記憶している。
【００２４】
電源処理部３８は、シンク機器３０内に設けられる各部に駆動電力を供給する。また、電源処理部３８には、Vbusラインを用いてバス電力が供給される。詳しくは、電源処理部３８は、PD処理部３６ａによる電力ネゴシエーションによって設定された大きさの電力を、Vbusラインを用いてソース機器１０から受電する。さらに、電源処理部３８は、PD処理部３６ａからの指示に従い、Vconnラインを用いて、EMCAケーブル５０及びEMCAケーブル特有の回路、具体的には、第２のE-marker６４に電力を供給する。PD処理部３６ａは、第２のE-marker６４にVconnからの電力が供給されると、第２のE-marker６４に記憶されるケーブル情報を読出す。
【００２５】
ここで、USB Type-Cコネクタ／ケーブルを利用して、HDMI規格の信号を伝送する際のピンマッピングの一例を表１及び表２に示す。
【００２６】
【表１】
2019046066.tif 000003
【００２７】
【表２】
2019046066.tif 000004
【００２８】
表１に示されるように、USB Type-Cのコネクタ／ケーブルのA2、A3ピンはUSB規格の信号を伝送する場合にはTX1+、TX1-として機能するが、HDMI規格の信号を伝送する場合にはTMDS D1+、TMDS D1-として機能する。また、A5ピンはUSB規格の信号を伝送する場合にはCC1（CC）として機能するが、HDMI規格の信号を伝送する場合にはCEC（Consumer Electronics Control）/SCL/SDAが多重化されたチャネルとして機能する。さらに、A8ピンはUSB規格の信号を伝送する場合にはSBU1として機能するが、HDMI規格の信号を伝送する場合にはHPD HEC/ARC-として機能する。A10、A11ピンはUSB規格の信号を伝送する場合にはRX2-、RX2+として機能するが、HDMI規格の信号を伝送する場合にはTMDS D0+、TMDS D0-として機能する。
【００２９】
同様に、表２に示されるように、USB Type-Cのコネクタ／ケーブルのB2、B3ピンはUSB規格の信号を伝送する場合にはTX2+、TX2-として機能するが、HDMI規格の信号を伝送する場合にはTMDS CLK-、TMDS CLK+として機能する。また、B5ピンはUSB規格の信号を伝送する場合にはCC2（Vconn）として機能するが、HDMI規格の信号を伝送する場合には+5V POWERとして機能する。さらに、B8ピンはUSB規格の信号を伝送する場合にはSBU2として機能するが、HDMI規格の信号を伝送する場合にはUTILITY HEC/ARC+として機能する。B10ピン、B11ピンはUSB規格の信号を伝送する場合にはRX1-、RX1+として機能するが、HDMI規格の信号を伝送する場合にはTMDS D2-、TMDS D2+として機能する。
【００３０】
［ケーブル］  
次に、図３を参照して、EMCAケーブル５０について説明する。  
EMCAケーブル５０には、図３に示されるように、第１のE-marker６２及び第２のE-marker６４が設けられる。なお、ここでは、２つのE-marker６２，６４がケーブル５０内に設けられる場合を例示したが、これに限定されず、E-markerは１つであっても良い。第１及び第２のE-marker６２，６４はＲＯＭであり、第１及び第２のE-marker６２，６４にはケーブル情報が記憶される。
【００３１】
ケーブル情報は、図１に示したPD処理部１６ａによって読出される情報であり、例えば、HDMI Founder（登録商標）により認証されたケーブルであることを示す情報やHDMI Forum（登録商標）により認証されたケーブルであることを示す情報、信号の伝送速度の上限を示す情報、ケーブル長を示す情報、ケーブルがサポートするプロトコルを示す情報、ケーブルのベンダー情報、等のうちの少なくとも１以上の情報を示す。
【００３２】
図３に示すように、EMCAケーブル５０を構成するVbusラインは、両端のプラグ５２，５４内のVbus端子間を接続するように延びている。また、CCラインは、両端のプラグ５２，５４内のCC端子間を接続するように延びると共に、第１の接続点ＣＰ１において第１のE-marker６２と接続し、第２の接続点ＣＰ２において第２のE-marker６４と接続するように延びている。
【００３３】
一方のプラグ５２内のVconn端子から延びるVconnラインは第１のE-marker６２に接続するように延びると共に、第３の接続点ＣＰ３において第１の抵抗Ｒ１を介した上でGDNラインに接続するように延びている。同様に、他方のプラグ５４内のVconn端子から延びるVconnラインは第２のE-marker６４に接続するように延びると共に、第４の接続点ＣＰ４において第２の抵抗Ｒ２を介した上でGNDラインに接続するように延びている。GNDラインは両端のプラグ５２，５４内のGND端子間を接続するように延びると共に、第５の接続点ＣＰ５において第１の抵抗Ｒ１を介した上で一方のVconnラインと接続するように延び、第６の接続点ＣＰ６において第２の抵抗Ｒ２を介した上で他方のVconnラインと接続するように延びている。また、GNDラインは第７の接続点ＣＰ７において第１のE-marker６２と接続し、第８の接続点ＣＰ８において第２のE-marker６４と接続するように延びている。
【００３４】
なお、図３中では詳細については省略したが、上記した各種ラインの他に、一方のプラグ５２及び他方のプラグ５４間には、映像信号を伝送するための複数のデータラインが延びている。
【００３５】
ここで、図４のシーケンス図を参照して、実施形態に係るケーブル５０を利用してHDMI規格の信号を伝送する場合の動作について説明する。図４では、ソース機器１０及びシンク機器３０が共に、EMCAケーブル５０に対応し、EMCAケーブル５０がHDMI規格に準拠している場合の動作を示す。
【００３６】
まず、EMCAケーブル５０が２つの電子装置を繋ぐように接続されると、２つの電子装置に各々設けられるPD処理部１６ａ，３６ａは、CCラインを用いてロールスワップを行い、２つの電子装置のうちのどちらをソース機器１０とし、もう一方をシンク機器３０とするか、さらには、２つの電子装置のうちのどちらをUSBホストとし、もう一方をデバイスとするかを設定する。  
また、各PD処理部１６ａ，３６ａは、CCラインを用いて電力ネゴシエーションを行い、２つの電子装置間で給電・受電する電力の大きさを設定する。その後、給電処理が実行される。詳しくは、ソース機器１０側のPD処理部１６ａからの指示に従い、ソース機器１０側の電力処理部１８は、Vbusラインを用いて、設定された大きさの電力をシンク機器３０に給電する。シンク機器３０側の電力処理部３８は、ソース機器１０から給電された電力を受電する（ブロックＢ１）。
【００３７】
シンク機器３０側のPD処理部３６ａは、EMCAケーブル５０内に設けられた第２のE-marker６４に電力を供給するよう電力処理部３８に指示する。その後、PD処理部３６ａは、Vconnラインを用いて電力処理部３８から供給された5Vの電力により駆動した第２のE-marker６４からケーブル情報を読出す（ブロックＢ２）。  
なお、読出されたケーブル情報には、EMCAケーブル５０がHDMI規格に準拠したEMCAケーブルであるか否かを示す情報が少なくとも含まれているものとし、本動作例では、上記したように、読出されたケーブル情報は、EMCAケーブル５０がHDMI規格に準拠したEMCAケーブルであることを示すものとする。
【００３８】
ここで、信号伝送のモードがHDMI Alternate modeに切り替えられると、シンク機器３０側のPD処理部３６ａは、CEC/SCL/SDAを多重化したチャネルとして機能するCCラインを用いて、ソース機器１０側のPD処理部１６ａとネゴシエーションを行い、ソース機器１０のバージョンを示すバージョン情報を取得する（ブロックＢ３）。
【００３９】
シンク機器３０側のPD処理部３６ａは、EMCA対応／非対応情報記憶部４２を参照して、取得されたバージョン情報により示されるソース機器１０のバージョンがEMCAケーブル５０に対応しているか否かを判定する。なお、本動作例では、上記したように、ソース機器１０及びシンク機器３０が共にEMCAケーブル５０に対応している場合を想定しているので、シンク機器３０側のPD処理部３６ａは、ソース機器１０がEMCAケーブル５０に対応しているものと判定する（ブロックＢ４）。
【００４０】
ブロックＢ４の判定処理の結果に伴い、シンク機器３０側のPD処理部３６ａは、ブロックＢ２の処理において読出したケーブル情報を、EDIDメモリ４０に記憶されたEDIDに転写する（ブロックＢ５）。
【００４１】
ソース機器１０側のPD処理部１６ａは、5Vアサートを実行する。詳しくは、PD処理部１６ａは、信号伝送のモードがHDMI Alternate modeに切り替えられると、CEC/SCL/SDAを多重化したチャネルとして機能するCCラインを用いて、+5V信号に相当するメッセージをシンク機器３０に出力する（ブロックＢ６）。
【００４２】
シンク機器３０側のPD処理部３６ａは、ソース機器１０からの上記メッセージの入力を受けると、ソース機器１０が接続されていることを認識（検出）する。その後、HPDアサートが実行される。詳しくは、PD処理部３６ａは、HPD HEC/ARC-として機能するSBU1ラインを用いて、HDMIにおいてEDIDメモリ４０を読出可能であることを示す信号（HPD）をソース機器１０に供給する。すなわち、HPDをアクティブ（High voltage level）にする（ブロックＢ７）。
【００４３】
ソース機器１０側のPD処理部１６ａは、HPDがアクティブにされると、CEC/SCL/SDAを多重化したチャネルとして機能するCCラインを用いて、シンク機器３０内のEDIDメモリ４０に記憶されたEDIDを読出す（ブロックＢ８）。
【００４４】
しかる後、ソース機器１０側のPD処理部１６ａは、読出したEDIDに転写されたケーブル情報に基づいて、EMCAケーブル５０がHDMI規格に準拠したケーブルであるか否かを判定する。なお、本動作例では、上記したように、ケーブル情報が、HDMI規格に準拠したEMCAケーブルであることを示す場合を想定しているので、PD処理部１６ａはHDMI信号の伝送が可能であると判定する。  
ソース機器１０側の信号処理部１４は、ＣＰＵ１６の制御の下、映像信号のフォーマットを、読出したEDIDによって示されるシンク機器３０の解像度に応じたフォーマットに変換する。そして、ソース機器１０側のHDMI送信処理部１２は、信号処理部１４から供給されるフォーマット変換後の映像信号を、複数のデータラインを用いたTMDS方式にてシンク機器３０に出力（伝送）し（ブロックＢ９）、ここでの動作を終了させる。
【００４５】
以上説明した図４の動作によれば、USB Type-Cのコネクタ／ケーブルを利用してのHDMI規格の信号伝送が実現され、シンク機器３０側のＬＣＤディスプレイ４４にHDMI規格の映像信号を表示することができる。これによれば、ユーザは、ソース機器１０とシンク機器３０とを接続するUSB Type-Cのコネクタ／ケーブルがHDMI規格に準拠していることを把握することができる。
【００４６】
次に、図５のシーケンス図を参照して、実施形態に係るケーブル５０を利用してHDMI規格の信号を伝送する場合の別の動作について説明する。図５では、図４の場合とは異なり、ソース機器１０がEMCAケーブル５０に非対応であり、シンク機器３０がEMCAケーブル５０に対応しており、EMCAケーブル５０がHDMI規格に準拠している場合の動作を示す。以下では、図４に示す処理と同一の処理については、詳しい説明を省略するものとする。
【００４７】
まず、上記したブロックＢ１〜Ｂ３の処理と同様な処理が実行される（ブロックＢ１１〜Ｂ１３）。  
その後、シンク機器３０側のPD処理部３６ａは、EMCA対応／非対応情報記憶部４２を参照して、取得されたバージョン情報により示されるソース機器１０のバージョンがEMCAケーブル５０に対応しているか否かを判定する。なお、本動作例では、上記したように、ソース機器１０がEMCAケーブル５０に非対応の場合を想定しているので、PD処理部３６ａは、ソース機器１０がEMCAケーブル５０に対応していないものと判定する（ブロックＢ１４）。
【００４８】
ブロックＢ１４の処理結果に伴い、シンク機器３０側の信号処理部３４は、PD処理部３６ａからの指示に従って、ＬＣＤディスプレイ４４及びスピーカ４６のうちの少なくとも一方に警告情報を出力する。これによれば、ソース機器１０がEMCAケーブル５０に非対応であることをユーザに対して通知することができる（ブロックＢ１５）。
【００４９】
次に、上記したブロックＢ６の処理と同様に、ソース機器１０側のPD処理部１６ａは、5Vアサートを実行する（ブロックＢ１６）。  
シンク機器３０側のPD処理部３６ａは、ブロックＢ１６の処理による+5V信号に相当するメッセージの入力を受けると、ソース機器１０が接続されていることを認識する。その上で、PD処理部３６ａは、ブロックＢ１４の処理においてソース機器１０がEMCAケーブル５０に非対応であると判定していることを考慮して、HPDデアサートを実行する。詳しくは、PD処理部３６ａは、HPD HEC/ARC-として機能するSBU1ラインを用いたソース機器１０へのHPDの供給を行わない。すなわち、HPDを非アクティブ（Low voltage level）にする（ブロックＢ１７）。  
ブロックＢ１７の処理は、ソース機器１０がEMCAケーブル５０に非対応である、つまり、たとえHPDアサートを実行したとしても、EDIDからEMCAケーブル５０に関する情報を読出すことができないことに起因した処理である。
【００５０】
ソース機器１０側のPD処理部１６ａは、ブロックＢ１６の処理において+5V信号に相当するメッセージをシンク機器３０に向けて出力したにも関わらず、シンク機器３０からのHPDの供給がないので（HPDが非アクティブであるので）、EDIDメモリ４０の読出が許可されなかったものと認識する（ブロックＢ１８）。
【００５１】
しかる後、ソース機器１０側のPD処理部１６ａは、ブロックＢ１８の処理結果に基づきHDMI信号の伝送が不能であると判定する。これに伴い、ソース機器１０側のHDMI送信処理部１２は、TMDS方式によるシンク機器３０への信号出力を停止し（ブロックＢ１９）、ここでの動作を終了させる。
【００５２】
以上説明した図５の動作によれば、ユーザは、ＬＣＤディスプレイ４４やスピーカ４６を通じて、ソース機器１０がEMCAケーブル５０に非対応であることを知ることができる。つまり、当該分野にあまり詳しくないユーザであったとしても、シンク機器３０から映像信号やオーディオ信号が出力されない原因を容易に突き止めることができるようになる。
【００５３】
続いて、図６のシーケンス図を参照して、実施形態に係るケーブル５０を利用してHDMI規格の信号を伝送する場合のさらに別の動作について説明する。図６では、図４及び図５の場合とは異なり、ソース機器１０がEMCAケーブル５０に非対応であり、シンク機器３０がEMCAケーブル５０に対応しており、EMCAケーブル５０がHDMI規格に準拠していない場合の動作を示す。
【００５４】
まず、EMCAケーブル５０が２つの電子装置を繋ぐように接続されると、２つの電子装置に各々設けられるPD処理部１６ａ，３６ａは、ロールスワップを行う。また、各PD処理部１６ａ，３６ａは、電力ネゴシエーションを行い、２つの電子装置間で給電・受電する電力の大きさを設定する。その後、ソース機器１０側の電源処理部１８からシンク機器３０側の電力処理部３８に向けて、設定された大きさの電力を給電する給電処理が実行される（ブロックＢ２１）。
【００５５】
続いて、シンク機器３０側のPD処理部３６ａは、EMCAケーブル５０内に設けられた第２のE-marker６４に電力を供給するよう電力処理部３８に指示する。その後、PD処理部３６ａは、Vconnラインを用いて電力処理部３８から供給された5Vの電力により駆動した第２のE-marker６４からケーブル情報を読出す。なお、本動作例では、PD処理部３６ａによるケーブル情報の読出が失敗した場合を想定する。ケーブル情報の読出失敗とは、PD処理部３６ａが第２のE-marker６４からケーブル情報を得ることができなかった場合、または、第２のE-marker６４からケーブル情報を得ることはできたが、当該ケーブル情報によりEMCAケーブル５０がHDMI規格に準拠しないEMCAケーブルであることが示された場合のどちらかを指すものとする（ブロックＢ２２）。
【００５６】
ここで、信号伝送のモードがHDMI Alternate modeに切り替えられると、シンク機器３０側のPD処理部３６ａは、ソース機器１０側のPD処理部１６ａとネゴシエーションを行い、ソース機器１０のバージョンを示すバージョン情報を取得する（ブロックＢ２３）。
【００５７】
ブロックＢ２２の処理におけるケーブル情報の読出失敗に伴い、シンク機器３０側の信号処理部３４は、PD処理部３６ａからの指示に従って、ＬＣＤディスプレイ４４及びスピーカ４６のうちの少なくとも一方に警告情報を出力する。これによれば、EMCAケーブル５０がHDMI規格に準拠していないことをユーザに対して通知することができる（ブロックＢ２４）。  
なお、ここでの警告情報は、上記したように、EMCAケーブル５０がHDMI規格に非準拠（HDMI規格を非サポート）であることを示すメッセージであり、具体的には、HDMI規格に非準拠のため本ケーブルが使用不可であることを示すメッセージ、本ケーブルではHDMI規格の映像信号を表示することができない旨のメッセージ、ケーブルの交換を促すメッセージ、等である。
【００５８】
シンク機器３０側のPD処理部３６ａは、EMCA対応／非対応情報記憶部４２を参照して、取得されたバージョン情報により示されるソース機器１０のバージョンがEMCAケーブル５０に対応しているか否かを判定する。なお、本動作例では、上記したように、シンク機器３０はEMCAケーブル５０に対応しているが、ソース機器１０はEMCAケーブル５０に非対応の場合を想定しているので、PD処理部３６ａは、ソース機器１０がEMCAケーブル５０に対応していないものと判定する（ブロックＢ２５）。  
なお、信号処理部３４は、PD処理部３６ａからの指示に従って、ブロックＢ２４の警告情報とは別に、ソース機器１０がEMCAケーブル５０に非対応である旨の警告情報をＬＣＤディスプレイ４４及びスピーカ４６のうちの少なくとも一方にさらに出力しても良い。
【００５９】
次に、ソース機器１０側のPD処理部１６ａは、5Vアサートを実行する（ブロックＢ２６）。  
シンク機器３０側のPD処理部３６ａは、ブロックＢ２６の処理による+5V信号に相当するメッセージの入力を受けると、ソース機器１０が接続されていることを認識する。その上で、PD処理部３６ａは、ブロックＢ２５の処理においてソース機器１０がEMCAケーブル５０に非対応であると判定していることを考慮して、ソース機器１０へのHPDの供給を行わない。すなわち、HPDを非アクティブにする（ブロックＢ２７）。
【００６０】
ソース機器１０側のPD処理部１６ａは、ブロックＢ２６の処理において+5V信号に相当するメッセージをシンク機器３０に向けて出力したにも関わらず、シンク機器３０からのHPDの供給がないので（HPDが非アクティブであるので）、EDIDメモリ４０の読出が許可されなかったものと認識する（ブロックＢ２８）。
【００６１】
しかる後、ソース機器１０側のPD処理部１６ａは、ブロックＢ２８の処理結果に基づきHDMI信号の伝送が不能であると判定する。これに伴い、ソース機器１０側のHDMI送信処理部１２は、TMDS方式によるシンク機器３０への信号出力を停止し（ブロックＢ２９）、ここでの動作を終了させる。
【００６２】
以上説明した図６の動作例によれば、ユーザは、ＬＣＤディスプレイ４４やスピーカ４６を通じて、現在ソース機器１０とシンク機器３０とを繋いでいるEMCAケーブル５０がHDMI規格に準拠していないことを知ることができる。つまり、当該分野にあまり詳しくないユーザであったとしても、シンク機器３０から映像信号やオーディオ信号が出力されない原因を容易に突き止めることができるようになる。
【００６３】
次に、図７のシーケンス図を参照して、実施形態に係るケーブル５０を利用してHDMI規格の信号を伝送する場合のさらに別の動作について説明する。図７では、図４〜図６の場合とは異なり、ソース機器１０及びシンク機器３０は共にEMCAケーブル５０に対応しているものの、EMCAケーブル５０がHDMI規格に準拠していない場合の動作を示す。以下では、図６に示す処理と同一の処理については、詳しい説明を省略するものとする。
【００６４】
まず、上記したブロックＢ２１〜Ｂ２４の処理と同様な処理が実行される（ブロックＢ３１〜Ｂ３４）。  
その後、シンク機器３０側のPD処理部３６ａは、EMCA対応／非対応情報記憶部４２を参照して、取得されたバージョン情報により示されるソース機器１０のバージョンがEMCAケーブル５０に対応しているか否かを判定する。なお、本動作例では、上記したように、ソース機器１０及びシンク機器３０が共にEMCAケーブル５０に対応している場合を想定しているので、PD処理部３６ａは、ソース機器１０がEMCAケーブル５０に対応しているものと判定する。  
シンク機器３０側のPD処理部３６ａは、EMCAケーブル５０はHDMI規格に準拠していないものの、ソース機器１０がEMCAケーブル５０に対応しているため、EDIDメモリ４０に記憶されたEDIDの映像フォーマットに関する情報を必須フォーマット（480p）のみに書き換える（編集する）処理を実行する（ブロックＢ３５）。
【００６５】
次に、ソース機器１０側のPD処理部１６ａは、5Vアサートを実行する（ブロックＢ３６）。  
シンク機器３０側のPD処理部３６ａは、ブロックＢ３６の処理による+5V信号に相当するメッセージの入力を受けると、ソース機器１０が接続されていることを認識する。PD処理部３６ａは、ソース機器１０がEMCAケーブル５０に対応していることを考慮して、HPDをソース機器１０に出力する。すなわち、HPDをアクティブにする（ブロックＢ３７）。
【００６６】
ソース機器１０側のPD処理部１６ａは、HPDがアクティブにされると、シンク機器３０内のEDIDメモリ４０に記憶されたEDIDを読出す（ブロックＢ３８）。  
しかる後、ソース機器１０側の信号処理部１４は、ＣＰＵ１６の制御の下、映像信号のフォーマットを、読出したEDIDによって示される必須フォーマット（480p）に変換する。そして、ソース機器１０側のHDMI送信処理部１２は、信号処理部１４から供給される必須フォーマットの映像信号を、複数のデータラインを用いたTMDS方式にてシンク機器３０に出力（伝送）し（ブロックＢ３９）、ここでの動作を終了させる。
【００６７】
以上説明した図７の動作によれば、ユーザは、ＬＣＤディスプレイ４４やスピーカ４６を通じて、現在ソース機器１０とシンク機器３０とを繋いでいるEMCAケーブル５０がHDMI規格に準拠していないことを知ることができる。また、ユーザは、ＬＣＤディスプレイ４４に出力される映像信号が粗いことからもEMCAケーブル５０がHDMI規格に準拠していないことを知ることができる。
【００６８】
なお、図５及び図６では、ソース機器１０のHDMI送信処理部１２がシンク機器３０への信号出力を停止する場合を例示したが、これに限定されず、例えば図７の場合と同様に、HDMI送信処理部１２は必須フォーマット（480p）の映像信号をシンク機器３０に出力するとしても良い。
【００６９】
一方、図７では、ソース機器１０のHDMI送信処理部１２が必須フォーマット（480p）の映像信号をシンク機器３０に出力する場合を例示したが、これに限定されず、例えば図５及び図６の場合と同様に、HDMI送信処理部１２はシンク機器３０への信号出力を停止するとしても良い。
【００７０】
また、図４〜図７では、シンク機器３０が第２のE-marker６４からケーブル情報を読出す場合を例示したが、これに限定されず、ソース機器１０が第１のE-marker６２からケーブル情報を読出し、EMCAケーブル５０がHDMI規格に準拠しているか否かを判定するとしても良い。この場合、ソース機器１０による判定結果を示す情報は、信号伝送のモードがHDMI Alternate modeに切り替えられた際に、ソース機器１０のバージョン情報と共に、シンク機器３０に出力される。  
あるいは、ソース機器１０による判定結果を示す情報は、5Vアサートの実行の有無にて、つまり、HPDをアクティブにする旨の要求の有無にて反映されるとしても良い。
【００７１】
本実施形態では、シンク機器３０が、ソース機器１０のバージョンから、ソース機器１０がEMCAケーブル５０に対応しているか否かを推定する場合を例示したが、これに限定されず、ソース機器１０からEMCAケーブル５０に対応しているか否かを示す情報が、バージョン情報に代えてシンク機器３０に出力されることで、ソース機器１０がEMCAケーブル５０に対応しているか否かが判定されても良い。
【００７２】
なお、EMCAケーブル５０がHDMI規格に準拠している場合であっても、EMCAケーブル５０がサポート可能な伝送帯域が、シンク機器３０がサポート可能な伝送帯域よりも低い場合に対応するために、シンク機器３０は、EMCAケーブル５０がサポート可能な伝送帯域にあわせて、自身がサポート可能な伝送帯域の一部を無効にする機能をさらに有していても良い。
【００７３】
また、ソース機器１０及びシンク機器３０は、EMCAケーブル５０がHEC（HDMI Ethernet Channel）をサポートしていないことを認識した場合、EMCAケーブル５０にあわせて、自身のHEC機能を無効にする機能をさらに有していても良い。
【００７４】
［変形例］  
なお、本実施形態では、EMCAケーブル５０のプラグの形状がUSB Type-Cである場合を想定して説明したが、これに限定されず、EMCAケーブル５０のプラグの形状は、ソース機器１０側がUSB Type-Cであり、シンク機器３０側がHDMI Type-Aであっても良い。この場合においても、上記した図４〜図７に示した動作と同様な動作を実現可能である。
【００７５】
この場合のシステム構成は、図８の通りとなる。この場合、図８に示すように、EMCAケーブル５０内に、図１に示したPD処理部３６ａに相当するPD処理部７２と、電源処理部３８に相当する電源処理部７４とが設けられ、シンク機器３０には、HDMI規格で定義された信号線（CECライン、SCLライン、SDAライン）を介してPD処理部７２と接続するHDMIプロトコル処理部８２と、HDMI規格で定義された信号線（5V POWERラインとGNDライン）を介して電源処理部７４と接続する電源処理部８４とが設けられる。
【００７６】
HDMIプロトコル処理部８２は、PD処理部７２をPD処理部３６ａと同様に動作するように、PD処理部７２を制御し、電源処理部８４は、電源処理部７４を電源処理部３８と同様に動作するように、電源処理部７４を制御する。これにより、上記した図４〜図７に示した動作と同様な動作が実現され、同様な作用効果が得られる。
【００７７】
以下に、シンク機器３０側のプラグのピン配置（つまり、HDMI Type-Aのピン配置）の一例を示す。
【００７８】
【表３】
2019046066.tif 000005
【００７９】
以上説明した一実施形態によれば、電子装置間の信号伝送に使用されるケーブルに関し、ユーザの利便性を高めることができる電子装置及びケーブルを提供することができる。
【００８０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１０…ソース機器、１２…HDMI送信処理部、１４…信号処理部、１６…ＣＰＵ、１６ａ…PD処理部、１８…電源処理部、２０…USB Type-Cレセプタクル、３０…シンク機器、３２…HDMI受信処理部、３４…信号処理部、３６…ＣＰＵ、３６ａ…PD処理部、３８…電源処理部、４０…EDIDメモリ、４２…EMCA対応／非対応情報記憶部、４４…ＬＣＤディスプレイ、４６…スピーカ、４８…USB Type-Cレセプタクル、５０…EMCAケーブル、５２，５４…USB Type-Cプラグ。
【図１】
2019046066.tif 000006
【図２】
2019046066.tif 000007
【図３】
2019046066.tif 000008
【図４】
2019046066.tif 000009
【図５】
2019046066.tif 000010
【図６】
2019046066.tif 000011
【図７】
2019046066.tif 000012
【図８】
2019046066.tif 000013